【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】データ及びプログラムを記憶する記憶部と、ＣＰＵ及びクロック機能を具備し、ＡＣ又はＤＣ電源部から電力供給されてなるＰＬＣと、並びに、該ＰＬＣに入出力ユニットを介して接続された指示操作盤と、ＰＬＣに直列に接続されてなる複数の入力スレーブユニットと、該入力スレーブユニットにそれぞれ接続されてなるコネクターと、携帯電話等の通信機器又はインターネットを介して前記ＰＬＣとデータ通信を行うインターフェース部を備えた操作部と、
前記複数の入力スレーブユニット同士および前記ＰＬＣがバス方式でそれぞれ直列に連結されてなる双方向通信手段及び各入力スレーブユニットを識別するスレーブ識別手段と、
ビル設備機器を給水系統、空調系統、電気系統、その他の系統に分類し、各系統ごとに関連する異種類のアナログデータを収集するための複数のアナログセンサーを組み合わせて共通のコネクターに接続し、前記操作部の入力スレーブユニットにコネクターを介して交換可能に接続されてなる専用データ収集ユニットと、
前記ＰＬＣとインターフェースを介してデータの送受信が可能なパーソナルコンピュータと、を備え、
１台のシステムで測定対象機器の種類又は数に応じてデータ収集ユニットを交換するだけで多点におけるデータを効率的に収集することを特徴とする移動・携帯型データ収集システム。
【請求項２】データ及びプログラムを記憶する記憶部と、ＣＰＵ及びクロック機能を具備し、ＡＣ又はＤＣ電源部から電力供給されてなるＰＬＣと、並びに、該ＰＬＣに入出力ユニットを介して接続された指示操作盤と、ＰＬＣに直列に接続されてなる複数の入力スレーブユニットと、該入力スレーブユニットにそれぞれ接続されてなるコネクターと、携帯電話等の通信機器又はインターネットを介して前記ＰＬＣとデータ通信を行うインターフェース部を備えた操作部と、
前記複数の入力スレーブユニット同士および前記ＰＬＣがバス方式でそれぞれ直列に連結されてなる双方向通信手段及び各入力スレーブユニットを識別するスレーブ識別手段と、
ビル設備機器を給水系統、空調系統、電気系統、その他の系統に分類し、各系統ごとに関連する異種類のアナログデータを収集するための複数のアナログセンサーを組み合わせて共通のコネクターに接続し、前記操作部の入力スレーブユニットにコネクターを介して交換可能に接続されてなる専用データ収集ユニットと、
前記ＰＬＣとインターフェースを介してデータの送受信が可能なパーソナルコンピュータと、を備え、
１台のシステムで測定対象機器の種類又は数に応じてデータ収集ユニットを交換するだけで多点におけるデータを効率的に収集することを特徴とする移動・携帯型データ収集システムであって、
前記操作部におけるＰＬＣのインターフェースとパーソナルコンピュータとを業内無線、携帯電話、ＰＨＳ等の通信機器を介して、パケット通信方式により又はリアルタイムにデータを送受信することを特徴とする移動・携帯型データ収集システム。
【請求項３】データ及びプログラムを記憶する記憶部と、ＣＰＵ及びクロック機能を具備し、ＡＣ又はＤＣ電源部から電力供給されてなるＰＬＣと、並びに、該ＰＬＣに入出力ユニットを介して接続された指示操作盤と、ＰＬＣに直列に接続されてなる複数の入力スレーブユニットと、該入力スレーブユニットにそれぞれ接続されてなるコネクターと、携帯電話等の通信機器又はインターネットを介して前記ＰＬＣとデータ通信を行うインターフェース部を備えた操作部と、
前記複数の入力スレーブユニット同士および前記ＰＬＣがバス方式でそれぞれ直列に連結されてなる双方向通信手段及び各入力スレーブユニットを識別するスレーブ識別手段と、
ビル設備機器を給水系統、空調系統、電気系統、その他の系統に分類し、各系統ごとに関連する異種類のアナログデータを収集するための複数のアナログセンサーを組み合わせて共通のコネクターに接続し、前記操作部の入力スレーブユニットにコネクターを介して交換可能に接続されてなる専用データ収集ユニットと、
前記ＰＬＣとインターフェースを介してデータの送受信が可能なパーソナルコンピュータと、を備え、
１台のシステムで測定対象機器の種類又は数に応じてデータ収集ユニットを交換するだけで多点におけるデータを効率的に収集することを特徴とする移動・携帯型データ収集システムを使用したデータ収集方法であって、
前記何れかのアナログセンサーを介して収集された測定対象機器のデータをＰＬＣのＣＰＵに基づく判断手段によって、予めＰＬＣの記憶部に記憶された設定値と比較して、ＰＬＣの記憶部に記憶された判断条件に従って、測定対象機器のデータ収集の開始ないし停止のタイミングを判断し、連続的にデータ収集ができることを特徴とするデータ収集方法。
【請求項４】データ及びプログラムを記憶する記憶部と、ＣＰＵ及びクロック機能を具備し、ＡＣ又はＤＣ電源部から電力供給されてなるＰＬＣと、並びに、該ＰＬＣに入出力ユニットを介して接続された指示操作盤と、ＰＬＣに直列に接続されてなる複数の入力スレーブユニットと、該入力スレーブユニットにそれぞれ接続されてなるコネクターと、携帯電話等の通信機器又はインターネットを介して前記ＰＬＣとデータ通信を行うインターフェース部を備えた操作部と、
前記複数の入力スレーブユニット同士および前記ＰＬＣがバス方式でそれぞれ直列に連結されてなる双方向通信手段及び各入力スレーブユニットを識別するスレーブ識別手段と、
ビル設備機器を給水系統、空調系統、電気系統、その他の系統に分類し、各系統ごとに関連する異種類のアナログデータを収集するための複数のアナログセンサーを組み合わせて共通のコネクターに接続し、前記操作部の入力スレーブユニットにコネクターを介して交換可能に接続されてなる専用データ収集ユニットと、
前記ＰＬＣとインターフェースを介してデータの送受信が可能なパーソナルコンピュータと、を備え、
１台のシステムで測定対象機器の種類又は数に応じてデータ収集ユニットを交換するだけで多点におけるデータを効率的に収集することを特徴とする移動・携帯型データ収集システムを使用したデータ収集方法であって、
給排水ポンプのような間欠運転される測定対象機器の運転データを収集する方法において、測定対象機器の間欠運転区間毎に時系列に収集された複数のデータを順次比較して間欠運転区間毎に最大値とその値が記録された年、月、日、時刻または／および間欠運転区間の年、月、日、時刻のデータの収集ができることを特徴とするデータ収集方法。
【請求項５】データ及びプログラムを記憶する記憶部と、ＣＰＵ及びクロック機能を具備し、ＡＣ又はＤＣ電源部から電力供給されてなるＰＬＣと、並びに、該ＰＬＣに入出力ユニットを介して接続された指示操作盤と、ＰＬＣに直列に接続されてなる複数の入力スレーブユニットと、該入力スレーブユニットにそれぞれ接続されてなるコネクターと、携帯電話等の通信機器又はインターネットを介して前記ＰＬＣとデータ通信を行うインターフェース部を備えた操作部と、
前記複数の入力スレーブユニット同士および前記ＰＬＣがバス方式でそれぞれ直列に連結されてなる双方向通信手段及び各入力スレーブユニットを識別するスレーブ識別手段と、
ビル設備機器を給水系統、空調系統、電気系統、その他の系統に分類し、各系統ごとに関連する異種類のアナログデータを収集するための複数のアナログセンサーを組み合わせて共通のコネクターに接続し、前記操作部の入力スレーブユニットにコネクターを介して交換可能に接続されてなる専用データ収集ユニットと、
前記ＰＬＣとインターフェースを介してデータの送受信が可能なパーソナルコンピュータと、を備え、
１台のシステムで測定対象機器の種類又は数に応じてデータ収集ユニットを交換するだけで多点におけるデータを効率的に収集することを特徴とする移動・携帯型データ収集システムを使用したデータ監視システムであって、インターネットを介して、クライアントのパーソナルコンピュータによってＷｅｂブラウザを通して、前記のデータ収集システムによって収集されたデータをモニタないし監視することができることを特徴とするデータ監視システム。